(57)【要約】【課題】  簡単な構造であってメンテナンスや給紙不良時の作業が容易であり、しかも、枚葉紙の傷の発生を効果的に防止することのできる給紙装置を提供する。【解決手段】  給紙板３上を搬送されてきた枚葉紙５０の前端部を掴むグリッパ６３を有して揺動動作により枚葉紙５０を一枚ずつ印刷機の胴５のグリッパ５１に受け渡すスイング体６を備えた枚葉印刷機の給紙装置において、胴５のグリッパ５１により搬送される枚葉紙５０をガイドする回転自在なコロガイド８が、スイング体６のグリッパ６３から胴５のグリッパ５１へと枚葉紙５０を受け渡す紙受け渡しポイントＰより前側であって胴５のグリッパ５１の回動軌跡Ｑの近傍に配置されている。【選択図】  図１
2008007314.tif 000002
【特許請求の範囲】
【請求項１】
給紙板上を搬送されてきた枚葉紙の前端部を掴むグリッパを有して揺動動作により枚葉紙を一枚ずつ印刷機の胴のグリッパに受け渡すスイング体を備えた枚葉印刷機の給紙装置において、
胴のグリッパにより搬送される枚葉紙をガイドする回転自在なコロガイドが、スイング体のグリッパから胴のグリッパへと枚葉紙を受け渡す紙受け渡しポイントより前側であって胴のグリッパの回動軌跡の近傍に配置されていることを特徴とする枚葉印刷機の給紙装置。
【請求項２】
胴の下方に胴の周方向に伸びる板状の固定ガイドが設けられ、該固定ガイドは胴の中心の下方位置よりも更に後側に伸びており、該固定ガイドの後端部にコロガイドが設けられている請求項１記載の枚葉印刷機の給紙装置。
【請求項３】
胴の下方に胴の周方向に伸びる板状の固定ガイドが設けられ、該固定ガイドは胴の中心の下方位置よりも更に後側に伸びており、該固定ガイドの後端部の上方位置に胴の軸線方向に伸びる支軸が設けられ、該支軸にコロガイドが並設されている請求項１記載の枚葉印刷機の給紙装置。
【請求項４】
固定ガイドの後端部が下方に傾斜している請求項３記載の枚葉印刷機の給紙装置。
【請求項５】
コロガイドは、スイング体が最も前側に位置した前端位置においてスイング体のグリッパの前側若しくは上方に位置する請求項１乃至４の何れかに記載の枚葉印刷機の給紙装置。
【発明の詳細な説明】
【技術分野】
【０００１】
本発明は、給紙板上を搬送されてきた枚葉紙を印刷機の胴に受け渡すための給紙装置に関する。
【背景技術】
【０００２】
従来、この種の枚葉印刷機における給紙装置としては、例えば、下記特許文献１記載のものがある。この給紙装置は、給紙板上を搬送されてきた枚葉紙をスイング体の揺動動作によって印刷機の胴に受け渡すものであるが、スイング体と胴との間に複数の帯状ガイドを設けたものである。この帯状ガイドの前端部は支軸に固定しておく一方、後端部は自由端として給紙板の前端部近傍まで伸ばし、その後端側所定領域には回転自在なコロを設けている。
【０００３】
この構成の給紙装置では、カム機構によって支軸を回動させることで帯状ガイドを所定角度前後に揺動させるようにしており、スイング体が前側に揺動する際には帯状ガイドを胴側から離すように後側に回動させておき、逆にスイング体が後側に回動して元の位置に復帰する際には帯状ガイドを胴に近づけるように前側に回動させる。
【特許文献１】実開昭６３−１８０２３７号公報
【発明の開示】
【発明が解決しようとする課題】
【０００４】
しかしながら、カム機構によって帯状ガイドを前後に揺動させる構成としているため高速化には不向きであるうえに機構が極めて複雑となり、カム機構や支軸並びに帯状ガイドの耐久性に劣るという問題がある。しかも、故障が発生した場合にはスイング体と胴との間の非常に狭い場所に帯状ガイドが複数配置されているためにそれらの交換も容易ではない。また、胴の下方に位置する固定ガイドと給紙板の前端部との間の略全長が帯状ガイドで橋渡される構成となっているので、印刷中に給紙不良等が発生した場合、枚葉紙を例えば胴から取り除くことが極めて困難である。
【０００５】
また、帯状ガイドの後端側所定領域にはコロが設けられているが、その領域は、胴とスイング体との間で枚葉紙を受け渡す紙受け渡しポイントよりも後側となっており、紙受け渡しポイントより前側にはコロが設けられていない。従って、胴のグリッパに受け渡されて搬送される枚葉紙の後端部は専ら帯状ガイドと摺動することとなるが、上述したように、この帯状ガイドはスイング体の揺動と同期して前後に揺動するので、胴のグリッパによって搬送される枚葉紙の後端部もその帯状ガイドの揺動動作に伴ってばたつく可能性があり、ばたつきながら摺動することで枚葉紙には傷が発生する可能性が生じる。
【０００６】
そこで本発明は、上記従来の給紙装置における問題点を解消せんとするものであって、その課題とするところは、簡単な構造であってメンテナンスや給紙不良時の作業が容易であり、しかも、枚葉紙の傷の発生を効果的に防止することのできる給紙装置を提供することにある。
【課題を解決するための手段】
【０００７】
本発明は、上記課題を解決すべくなされたものであり、本発明に係る枚葉印刷機の給紙装置は、給紙板上を搬送されてきた枚葉紙の前端部を掴むグリッパを有して揺動動作により枚葉紙を一枚ずつ印刷機の胴のグリッパに受け渡すスイング体を備えた枚葉印刷機の給紙装置において、胴のグリッパにより搬送される枚葉紙をガイドする回転自在なコロガイドが、スイング体のグリッパから胴のグリッパへと枚葉紙を受け渡す紙受け渡しポイントより前側であって胴のグリッパの回動軌跡の近傍に配置されていることを特徴とする。
【０００８】
該構成の給紙装置にあっては、スイング体のグリッパが枚葉紙を掴んで前側に揺動し、紙受け渡しポイントにおいて胴のグリッパへと枚葉紙を受け渡す。そして、胴の回転に応じて枚葉紙は搬送されるが、枚葉紙の後端部側は把持されずにフリーの状態となっている。その紙受け渡しポイントより前側であって胴のグリッパの回動軌跡の近傍にはコロガイドが配置されているので、胴のグリッパに掴まれて搬送されていく枚葉紙の後端部側が仮に胴から大きく離間しようとしてもコロガイドにガイドされる。従って、枚葉紙は胴から大きく離間することなく搬送されるので、紙受け渡しポイントで枚葉紙を胴に受け渡した後に更に前側に揺動しているスイング体に、搬送中の枚葉紙が接触するということが防止される。しかも、コロガイドが紙受け渡しポイントより前側であるので、スイング体の揺動動作に伴ってコロガイドの位置を変更するということが不要になり、コロガイドの位置精度を高めることができる。また、コロガイドの位置が固定であり且つ紙受け渡しポイントより前側であるので、コロガイドのメンテナンスも容易であり、万一の給紙不良の際にも容易に枚葉紙を取り除くことができる。
【０００９】
特に、胴の下方に胴の周方向に伸びる板状の固定ガイドが設けられ、該固定ガイドの後端部にコロガイドが設けられていることが好ましい。板状の固定ガイドを胴に沿って設けることにより、胴のグリッパに掴まれて搬送される枚葉紙の後端部側をこの固定ガイドで効果的にガイドすることができる。更に、固定ガイドの後端部にコロガイドが設けられているので、搬送中の枚葉紙の後端部側は固定ガイドの後端部に直接当接することがなく従って枚葉紙の傷つきを防止できる。
【００１０】
また、胴の下方に胴の周方向に伸びる板状の固定ガイドが設けられ、該固定ガイドの後端部の上方位置に胴の軸線方向に伸びる支軸が設けられ、該支軸にコロガイドが並設されていることが好ましい。この場合も同様に、胴で搬送されている枚葉紙の後端部側をこの固定ガイドで効果的にガイドすることができる。更に、固定ガイドの後端部の上方位置にコロガイドが配置されているので、搬送中の枚葉紙の後端部側の部分が固定ガイドの後端部に当接する前にコロガイドによってスムーズにガイドされることとなる。また、コロガイドと固定ガイドとの間に隙間があるので、万一の給紙不良の場合にその隙間から枚葉紙を後方に容易に取り除くこともできる。
【００１１】
特に、固定ガイドの後端部が下方に傾斜していることが好ましく、万一の給紙不良の場合における枚葉紙の除去作業がより一層容易となる。
【００１２】
また更に、コロガイドは、スイング体が最も前側に位置した前端位置においてスイング体のグリッパの前側若しくは上方に位置すると、前端位置のスイング体に枚葉紙が当接することをコロガイドにより確実に防止できる。
【発明の効果】
【００１３】
以上のように、本発明に係る枚葉印刷機の給紙装置にあっては、紙受け渡しポイントより前側であって胴のグリッパの回動軌跡の近傍にコロガイドが配置されているので、胴のグリッパで掴まれて搬送される枚葉紙の後端部側をコロガイドでガイドすることができ、またコロガイドが従来のように位置変動する構成ではなく位置不動の構成であるので、枚葉紙の傷付きを確実に防止することができる。しかも、コロガイドが位置不動の構成であるので、構造が簡単であってメンテナンスも容易であり、万一給紙不良が発生した場合でも容易にその枚葉紙を取り除くことができる。
【発明を実施するための最良の形態】
【００１４】
以下、本発明に係る枚葉印刷機の給紙装置の一実施形態について図１及び図２を参酌しつつ説明する。
本実施形態における給紙装置は、フィーダボード１とその前側に位置する口板２とを有する給紙板３と、給紙板３上を搬送されてきた枚葉紙５０の前端部を当接させて枚葉紙５０の前後の見当合わせを行うための前当て４と、該前当て４で見当合わせを行った枚葉紙５０の前端部を給紙胴５に渡すスイング体６と、給紙胴５の下方に固定配置されて枚葉紙５０の後端部がその自重によって下方に垂れ下がることを防止する固定ガイド７とを備えている。
【００１５】
前記給紙板３は枚葉紙５０を一枚ずつ前方に向けて搬送するものであるが、その搬送方法には種々あって、例えば、一枚の枚葉紙５０を次の枚葉紙５０と重なり合うことなく搬送するものと、前端部所定領域を残して次の枚葉紙５０がその下に重なり合うようにして搬送するものとがある。本実施形態では、次の枚葉紙５０と重なり合うようにして搬送するタイプである。尚、口板２の下面には、前方に伸びる口板ガイド２ａが取り付けられている。
【００１６】
また、前当て４は、軸２００を中心として前後に揺動する上下方向に伸びるアーム形状であって、その先端部には枚葉紙５０の前端部が当接する当接部４ａを有している。尚、図１の状態は、前当て４が前側に揺動した状態を示しており、従って、前当て４の当接部４ａは枚葉紙５０の搬送面より下方に退去している。また、前当て４の先端部にはローラ４ｂが設けられており、給紙板３から枚葉紙５０が前方に引き出される際にローラ４ｂに接触してローラ４ｂが回転することでスムーズに給紙板３から枚葉紙５０が引き出せる。
【００１７】
そして、前当て４で前後の見当合わせを行った後にその枚葉紙５０を給紙胴５に渡すためのスイング体６は、給紙胴５の軸線方向に伸びる軸６１を中心に前後に揺動自在に構成されている。尚、軸６１は給紙板３より下方に位置している。また、スイング体６は、具体的には、基端部が軸６１に軸支されたスイング本体６２と、該スイング本体６２の先端部に設けられて枚葉紙５０の前端部を掴むグリッパ６３とを備えている。軸６１は、図２に二点鎖線で示す一対のフレーム１００に回転可能に支持されていてスイング本体６２と共に回転する。スイング本体６２は軸６１に固定されていて、軸線方向に一定間隔をあけて合計３箇所設けられている。そして、これら３つのスイング本体６２の先端部を橋渡しするように、それぞれ軸線方向に伸びる爪軸６４と棒状のステー６５とがスイング本体６２の先端部に設けられている。爪軸６４はその一端部にカムフォロア６４ａを有して図示しないカムにより所定角度揺動し、爪軸６４に互いに間隔をあけて並設されている爪６３ａを開閉させる。ステー６５は３つのスイング本体６２にネジ止めされており、そのステー６５には、爪６３ａに対応した位置に爪台６３ｂが並設されている。グリッパ６３は爪６３ａと爪台６３ｂとから構成される。
【００１８】
このスイング体６は、グリッパ６３が最も給紙板３に接近してグリッパ６３で枚葉紙５０の前端部を掴む位置（掴み位置）から、グリッパ６３が給紙板３から最も前側に離れた位置（前端位置）までの間を所定角度揺動する。尚、スイング体６は、掴み位置においては略起立状態にあり、前端位置においては前方に略水平に倒れた傾倒状態にある。尚、スイング体６のグリッパ６３の回動軌跡（枚葉紙５０を把持する部分の回動軌跡）を図１に二点鎖線Ｒにて示している。
【００１９】
また、給紙胴５は、グリッパ５１を一つ有する回転胴であり、その中心からグリッパ５１が枚葉紙５０を把持するところまでの半径に比して、グリッパ５１以外の部分の半径は小さくなっている。尚、給紙胴５のグリッパ５１の回動軌跡（枚葉紙５０を把持する部分の回動軌跡）を図１に二点鎖線Ｑにて示している。そして、スイング体６のグリッパ６３の回動軌跡Ｒと給紙胴５のグリッパ５１の回動軌跡Ｑとの接点においてスイング体６から給紙胴５に枚葉紙５０が受け渡される。このポイントを紙受け渡しポイントＰとする。
【００２０】
一方、給紙胴５の下方に位置する固定ガイド７は、板状であって給紙胴５の中心の前方位置から給紙胴５に沿って後方に向けて伸びており、給紙胴５のグリッパ５１の回動軌跡Ｑから所定距離外側に位置している。そして、固定ガイド７は、給紙胴５の中心の下方位置からその後端部７ａにかけては、給紙胴５のグリッパ５１の回動軌跡Ｑとの間の離間距離を徐々に小さくするようにしながらスイング体６の前端位置の前側まで斜め上方に伸びている。そして、この固定ガイド７の後端部７ａにはコロガイド８が回転自在に設けられている。
【００２１】
具体的には、固定ガイド７は、左右のフレーム１００に取り付けられて給紙胴５の軸線方向に伸びる棒状のステー７１ａ，７１ｂに固定されている。本実施形態では、前端部と最下部（給紙胴５の中心の下方位置）とにおいてそれぞれステー７１ａ，７１ｂに固定されている。この固定ガイド７は図２のように所定幅を有する帯状に形成されていて、給紙胴５の軸線方向に一定間隔をあけながら複数設けられている。そして、各固定ガイド７の後端部７ａの外面に取り付け具８１を介して支軸８２が固定され、その支軸８２の固定ガイド７から側方に突出した部分にベアリングを介してコロガイド８が回転自在に支持されている。尚、このコロガイド８の支軸８２は給紙胴５と平行であり、従って、コロガイド８は枚葉紙５０の搬送方向に沿って回転する。このコロガイド８は給紙胴５のグリッパ５１の回動軌跡Ｑの近傍に位置している。また、図２に示すように、固定ガイド７及びコロガイド８は、隣り合う爪６３ａ同士の間に位置している。
【００２２】
以上のように構成された枚葉印刷機の給紙装置にあっては、スイング体６が前側に揺動し紙受け渡しポイントＰにおいて給紙胴５に枚葉紙５０を受け渡す。その後、スイング体６は更に前端位置まで回動し、枚葉紙５０は給紙胴５のグリッパ５１によってその前端部が把持されて搬送される。給紙胴５に受け渡された枚葉紙５０は、その前端部がグリッパ５１によって把持されていて後端部側はフリーな状態にあるが、図１のように、コロガイド８が紙受け渡しポイントＰより前側であって且つ給紙胴５のグリッパ５１の回動軌跡Ｑの近傍に設けられているため、枚葉紙５０の後端部側はコロガイド８によってガイドされることとなる。従って、枚葉紙５０の後端部側に傷が発生することが防止される。特に、固定ガイド７の後端部７ａにコロガイド８を設けているので、枚葉紙５０が固定ガイド７の後端部７ａに上方から強く当たってもコロガイド８によって傷の発生を防止できる。また、前端位置におけるスイング体６のグリッパ６３の前側にコロガイド８が対峙するように位置しているので、前端位置におけるスイング体６のグリッパ６３に枚葉紙５０が当たって傷つくということもコロガイド８で防止されることとなる。
【００２３】
更に、コロガイド８は固定ガイド７に設けられていて位置不動の構成であるので、高い位置精度で配置することが容易であり、従ってコロガイド８を給紙胴５のグリッパ５１の回動軌跡Ｑに容易に近設することができるのである。しかも、位置不動の構成とすることにより、組立のみならずメンテナンスも容易である。また、紙受け渡しポイントＰより前側に位置不動にコロガイド８を設けていて紙受け渡しポイントＰより後方にはコロガイド８を設けていないので、万一給紙不良が発生したとしても、給紙胴５と固定ガイド７との間から枚葉紙５０を容易に取り除くことができる。
【００２４】
尚、本実施形態ではコロガイド８を前端位置におけるスイング体６のグリッパ６３の前側に対峙して配置したが、図３のようにグリッパ６３の斜め上方に配置するようにしてもよい。この場合、前端位置におけるスイング体６に枚葉紙５０が当接することを更に確実に防止できる。尚、図３の場合においては、図２に示したように、コロガイド８と固定ガイド７をスイング体６のグリッパ６３の爪６３ａ並びに爪台６３ｂと干渉しない位置に配置している。図３において、爪軸６４の方がステー６５よりも回動半径が大きいため、爪軸６４と干渉しないようにコロガイド８の位置を設定している。
【００２５】
また、固定ガイド７とは別に支軸を設けてその支軸にコロガイド８を並設する構成としてもよい。例えば、図４及び図５に示すように、左右のフレーム１００に給紙胴５と平行に支軸８２を固定し、その支軸８２に間隔をあけて複数のコロガイド８を回転自在に取り付ける。支軸８２は固定ガイド７の後端部７ａより上方に位置し、コロガイド８は、前端位置におけるスイング体６のグリッパ６３の斜め上方に位置する。尚、図５のようにコロガイド８は、固定ガイド７とは軸線方向に位置ずれした関係にある。また、コロガイド８は、爪６３ａとも軸線方向に位置ずれした関係にあって互いに平面的には干渉しないようになっている。
【００２６】
このような構成の場合には、共通の支軸８２にコロガイド８を設ければよいので構成が簡単であり、また、支軸８２の位置精度を確保しやすいので結果的にコロガイド８の位置精度を高めることができ、給紙胴５のグリッパ５１の回動軌跡Ｑに精度良く近設できる。但し、コロガイド８の支軸８２を爪６３ａ等と干渉しないように配置することが必要である。また、この構成のようにコロガイド８を固定ガイド７から上方に離間させた場合には、万一の給紙不良の場合において、コロガイド８と固定ガイド７の間の隙間から枚葉紙５０を後方に取り除くことが非常に容易であるという利点もある。尚、図４に示すように、固定ガイド７の後端部７ａを若干下方に傾斜させて枚葉紙５０の後方への除去作業を更に行いやすくしてもよい。尚、固定ガイド７の後端部７ａは、前端位置におけるスイング体６のグリッパ６３よりも僅かに下方に位置する。
【図面の簡単な説明】
【００２７】
【図１】本発明の一実施形態における枚葉印刷機の給紙装置を示す正面図。
【図２】同給紙装置を示す概略図。
【図３】本発明の他の実施形態における枚葉印刷機の給紙装置を示す正面図。
【図４】本発明の他の実施形態における枚葉印刷機の給紙装置を示す正面図。
【図５】同給紙装置を示す概略図。
【符号の説明】
【００２８】
１…フィーダボード、２…口板、２ａ…口板ガイド、３…給紙板、４…前当て、５…給紙胴、６…スイング体、７…固定ガイド、８…コロガイド、５０…枚葉紙、５１…グリッパ、６１…軸、６２…スイング本体、６３…グリッパ、６３ａ…爪、６３ｂ…爪台、６４…爪軸、６５…ステー、７１ａ，７１ｂ…ステー、８１…取り付け具、８２…支軸、１００…フレーム、Ｐ…紙受け渡しポイント、Ｑ…給紙胴のグリッパの回動軌跡、Ｒ…スイング体のグリッパの回動軌跡
【図１】
2008007314.tif 000003
【図２】
2008007314.tif 000004
【図３】
2008007314.tif 000005
【図４】
2008007314.tif 000006
【図５】
2008007314.tif 000007